(57)【要約】      （修正有）【課題】読み取り信号の品質向上を図ることが可能な磁気ヘッドおよびこれを備えるディスク装置を提供する。【解決手段】磁気ヘッドは、第１再生素子Ｒ１、第２再生素子Ｒ２、および第３再生素子Ｒ３を有する再生ヘッドを有している。空気支持面１３において、第１、第２、第３再生素子は、第１、第２、第３再生素子の順で互いに間隔を置いてダウントラック方向ＤＴに並んで配置されている。第２再生素子のコア幅は、データトラックの幅の半分以上の幅を有し、第１再生素子および第３再生素子のコア幅は、第２再生素子のコア幅よりも小さく形成されている。第１再生素子は、第２再生素子のクロストラック方向ＣＴの一端部に対向して、かつ、隣接データトラックの一部と重なる位置に配置され、第３再生素子は、第２再生素子のクロストラック方向の他端部に対向して、かつ、隣接データトラックの一部と重なる位置に配置されている。【選択図】図３
2020038745.tif 000002
【特許請求の範囲】
【請求項１】
第１再生素子Ｒ１、第２再生素子Ｒ２、および第３再生素子Ｒ３を有する再生ヘッドと、
記録媒体の表面に対向する空気支持面であって、前記第１再生素子、第２再生素子、第３再生素子のそれぞれの先端面が露出した空気支持面と、を備え、
前記記録媒体に形成されるデータトラックの長手方向をダウントラック方向、前記データトラックの幅方向をクロストラック方向とすると、
前記空気支持面において、前記第１再生素子、第２再生素子、第３再生素子は、第１再生素子、第２再生素子、第３再生素子の順で互いに間隔を置いて前記ダウントラック方向に並んで配置され、
前記第２再生素子のクロストラック方向のコア幅は、前記データトラックの幅と半分以上の幅を有し、
前記第１再生素子および第２再生素子のクロストラック方向のコア幅は、前記第２再生素子のコア幅よりも小さく形成され、
前記第１再生素子は、前記第２再生素子のクロストラック方向の一端部に対向して、かつ、隣接データトラックの一部と重なる位置に配置され、
前記第３再生素子は、前記第２再生素子のクロストラック方向の他端部に対向して、かつ、隣接データトラックの一部と重なる位置に配置されている、
磁気ヘッド。
【請求項２】
前記第１再生素子Ｒ１のコア幅ＲＷ１および前記第３再生素子Ｒ３のコア幅ＲＷ３は、前記第２再生素子Ｒ２のコア幅ＲＷ２の３０〜７０％に形成されている請求項１に記載の磁気ヘッド。
【請求項３】
前記第１再生素子Ｒ１および第３再生素子Ｒ３は、前記第２再生素子Ｒ２のクロストラック方向の中心に対して、点対称に配置されている請求項１又は２に記載の磁気ヘッド。
【請求項４】
前記データトラックの幅方向のトラックピッチをＴＰ、クロストラック方向の再生素子の中心間の間隔をＣＳｘｙ、ダウントラック方向の再生素子の中心軸線間の間隔をＤＳｘｙとすると、前記第１再生素子Ｒ１、第２再生素子Ｒ２、第３再生素子Ｒ３は、以下の関係を満たすように形成および配置されている
ＴＰ×０．１＜（ＲＷ１およびＲＷ２）＜ＴＰ×０．４、  
ＴＰ×０．６＜ＲＷ２＜ＴＰ×１．２、  
ＴＰ×０．１＜ＣＳ１２＜ＴＰ×１．０、  
ＤＳ１２＞０、  
ＣＳ２３＝ＣＳ１２、  
ＤＳ２３＝ＤＳ１２、  
請求項１から３のいずれか１項に記載の磁気ヘッド。
【請求項５】
磁気記録層を有する回転自在なディスク状の記録媒体と、
前記磁気記録層に対し情報を処理する請求項１から４のいずれか１項に記載の磁気ヘッドと、
を備えるディスク装置。
【発明の詳細な説明】
【技術分野】
【０００１】
この発明の実施形態は、磁気ヘッドおよびこれを備えるディスク装置に関する。
【背景技術】
【０００２】
ディスク装置として、磁気ディスクドライブは、ケース内に配設されたディスク状の記録媒体、すなわち、磁気ディスクと、磁気ディスクに対して情報のリード／ライトを行う磁気ヘッドと、を備えている。磁気ヘッドは、例えば、記録ヘッドおよび再生ヘッド（再生素子）を含んでいる。  
再生ヘッドにおいて、再生素子のコア幅を広くするに従い、メディアジッターの平均化効果により読取り信号のＳＮ比が改善する。その反面、再生素子のコア幅を広くすると、隣接トラックの信号を多く読み取ってしまうため、ビットエラーレートが増加する。
【先行技術文献】
【特許文献】
【０００３】
【特許文献１】特開２０１３−２３２２７１号公報
【特許文献２】米国特許出願公開第２０１６／０２０３８３７号明細書
【特許文献３】特開２０１５−００５３１９号公報
【発明の概要】
【発明が解決しようとする課題】
【０００４】
この発明の実施形態の課題は、隣接トラック信号の影響を除去し、読み取り信号の品質向上を図ることが可能な磁気ヘッドおよびこれを備えるディスク装置を提供することにある。
【課題を解決するための手段】
【０００５】
実施形態によれば、磁気ヘッドは、第１再生素子Ｒ１、第２再生素子Ｒ２、および第３再生素子Ｒ３を有する再生ヘッドと、記録媒体の表面に対向する空気支持面であって、前記第１再生素子、第２再生素子、第３再生素子のそれぞれの先端面が露出した空気支持面と、を備えている。前記記録媒体に形成されるデータトラックの長手方向をダウントラック方向、前記データトラックの幅方向をクロストラック方向とすると、前記空気支持面において、前記第１再生素子、第２再生素子、第３再生素子は、第１再生素子、第２再生素子、第３再生素子の順で互いに間隔を置いて前記ダウントラック方向に並んで配置されている。前記第２再生素子のクロストラック方向のコア幅は、前記データトラックの幅と半分以上の幅を有し、前記第１再生素子および第２再生素子のクロストラック方向のコア幅は、前記第２再生素子のコア幅よりも小さく形成されている。前記第１再生素子は、前記第２再生素子のクロストラック方向の一端部に対向して、かつ、隣接データトラックの一部と重なる位置に配置され、前記第３再生素子は、前記第２再生素子のクロストラック方向の他端部に対向して、かつ、隣接データトラックの一部と重なる位置に配置されている。
【図面の簡単な説明】
【０００６】
【図１】図１は、実施形態に係るハードディスクドライブ（ＨＤＤ）を概略的に示すブロック図。
【図２】図２は、前記ＨＤＤにおける磁気ヘッド、サスペンション、磁気ディスクを示す側面図。
【図３】図３は、前記磁気ヘッドのヘッド部をＡＢＳ側から見た平面図。
【図４】図４は、前記ＨＤＤの等化回路の一例を示すブロック図。
【図５】図５は、前記磁気ヘッドと比較例に係る磁気ヘッドについて、トラックピッチ方向位置とビットエラーレートとの関係を比較して示す図。
【図６】図６は、第１再生素子、第３再生素子のコア幅およびクロストラック方向位置とビットエラーレートとの関係を示す図。
【図７】図７は、実施形態に係るＨＤＤの磁気ディスクに対する磁気ヘッドの位置を概略的に示す平面図。
【図８】図８は、前記ＨＤＤの再生ヘッドとデータトラックとの位置関係を複数のスキュー角について比較して概略的に示す図。
【発明を実施するための形態】
【０００７】
以下図面を参照しながら、実施形態に係るディスク装置ついて説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（実施形態）  
ディスク装置として、実施形態に係るハードディスクドライブ（ＨＤＤ）について詳細に説明する。図１は、実施形態に係るＨＤＤを概略的に示すブロック図、図２は、浮上状態の磁気ヘッドおよび磁気ディスクを示す側面図である。  
図１に示すように、ＨＤＤ１０は、矩形状の筐体１１と、筐体１１内に配設された記録媒体としての磁気ディスク１２と、磁気ディスク１２を支持および回転するスピンドルモータ２１と、磁気ディスク１２に対してデータの書込み（ライト）、読出し（リード）を行う複数の磁気ヘッド１６と、を備えている。また、ＨＤＤ１０は、磁気ヘッド１６を磁気ディスク１２上の任意のトラック上に移動するとともに位置決めするヘッドアクチュエータ１８を備えている。ヘッドアクチュエータ１８は、磁気ヘッド１６を移動可能に支持するキャリッジアッセンブリ２０と、このキャリッジアッセンブリ２０を回動させるボイスコイルモータ（ＶＣＭ）２２とを含んでいる。
【０００９】
ＨＤＤ１０は、ヘッドアンプＩＣ３０と、メインコントローラ４０と、ドライバＩＣ４８と、を備えている。ヘッドアンプＩＣ３０は、例えば、キャリッジアッセンブリ２０に設けられ、磁気ヘッド１６に電気的に接続されている。メインコントローラ４０およびドライバＩＣ４８は、例えば、筐体１１の背面側に設けられた図示しない制御回路基板に構成されている。メインコントローラ４０は、Ｒ／Ｗチャネル４２と、ハードディスクコントローラ（ＨＤＣ）４４と、マイクロプロセッサ（ＭＰＵ）４６と、を備えている。メインコントローラ４０は、ヘッドアンプＩＣ３０を介して磁気ヘッド１６に電気的に接続されている。また、メインコントローラ４０は、ドライバＩＣ４８を介して、ＶＣＭ２２及びスピンドルモータ２１に電気的に接続されている。ＨＤＣ４４は、ホストコンピュータ４５に接続可能である。
【００１０】
図１および図２に示すように、磁気ディスク１２は、垂直磁気記録媒体として構成されている。磁気ディスク１２は、例えば、直径８８．９ｍｍ（３．５インチ）の円板状に形成され非磁性体からなる基板１０１を有している。基板１０１の各表面には、下地層としての軟磁性層１０２と、その上層部に、磁気記録層１０３と保護膜１０４とが順次積層されている。磁気ディスク１２は、スピンドルモータ２１のハブに互いに同軸的に嵌合されている。磁気ディスク１２は、スピンドルモータ２１により所定の速度で矢印Ｂ方向に回転される。  
キャリッジアッセンブリ２０は、筐体１１に回動自在に固定された軸受部２４と、軸受部２４から延出した複数のサスペンション２６と、を有している。図２に示すように、磁気ヘッド１６は、各サスペンション２６の延出端に支持されている。磁気ヘッド１６は、キャリッジアッセンブリ２０に設けられた配線部材（フレキシャ）２８を介して、ヘッドアンプＩＣ３０に電気的に接続されている。
【００１１】
図２に示すように、磁気ヘッド１６は浮上型のヘッドとして構成され、ほぼ直方体状に形成されたスライダ１５と、スライダ１５の流出端（トレーリング）側の端部に形成されたヘッド部１７とを有している。スライダ１５は、例えば、アルミナとチタンカーバイドの焼結体（アルチック）で形成され、ヘッド部１７は複数層の薄膜により形成されている。  
スライダ１５は、磁気ディスク１２の表面に対向する矩形状のディスク対向面（媒体対向面、空気支持面（ＡＢＳ））１３を有している。スライダ１５は、磁気ディスク１２の回転によってディスク表面とＡＢＳ１３との間に生じる空気流Ｃにより、磁気ディスク１２の表面から所定量浮上した状態に維持される。空気流Ｃの方向は、磁気ディスク１２の回転方向Ｂと一致している。スライダ１５は、空気流Ｃの流入側に位置するリーディング端１５ａおよび空気流Ｃの流出側に位置するトレーリング端１５ｂを有している。磁気ディスク１２の回転に伴い、磁気ヘッド１６は、磁気ディスク１２に対して矢印Ａ方向（ヘッド走行方向）、すなわち、ディスクの回転方向Ｂと反対の方向、に走行する。
【００１２】
図３は、ＡＢＳ側から見た磁気ヘッドのヘッド部を拡大して示す平面図である。磁気ヘッド１６のヘッド部１７は、スライダ１５のトレーリング端１５ｂに薄膜プロセスで形成された再生ヘッド（リードヘッド）５４および記録ヘッド５８を有し、分離型の磁気ヘッドとして形成されている。再生ヘッド５４および記録ヘッド５８は、スライダ１５のＡＢＳ１３に露出する部分を除いて、非磁性の保護絶縁膜５３により覆われている。保護絶縁膜５３は、ヘッド部１７の外形を構成している。
【００１３】
記録ヘッド５８は、再生ヘッド５４に対して、スライダ１５のトレーリング端１５ｂ側に設けられている。記録ヘッド５８は、ＡＢＳ１３に対して垂直方向の記録磁界を発生させる主磁極６０、主磁極６０にライトギャップＷＧを置いて対向するライトシールド６２、および、主磁極６０とライトシールド６２で構成される磁気コアに巻き付けられた図示しない記録コイル等を備えている。主磁極６０は、高透磁率、高飽和磁束密度を有する軟磁性材料から形成され、その先端はＡＢＳ１３に露出している。ライトシールド６２は、軟磁性材料で形成され、その先端部は、ＡＢＳ１３に露出している。主磁極６０およびライトシールド６２は、スライダ１５の長軸（中心軸線Ｃ）上に並んで配置されている。図３において、記録トラックの長手方向をダウントラック方向ＤＴ、記録トラックの幅方向をクロストラック方向ＣＴとしている。磁気ヘッド１６の処理動作時、スライダ１５は、磁気ディスク１２に対して、中心軸線Ｃがダウントラック方向ＤＴに沿って延在するように位置決めされる。主磁極６０の先端部の幅（クロストラック方向ＣＴの幅）Ｗ１は、磁気ディスク１２における記録トラックの幅Ｔに対して同等以下に設定されている。
【００１４】
図３に示すように、再生ヘッド５４は、記録ヘッド５８のリーディング側、すなわち、流入側に設けられている。再生ヘッド５４は、ＴＤＭＲ（Two Dimensional Magnetic Recording）を想定した複数の再生素子を備えている。本実施形態では、再生ヘッド５４は、第１、第２、第３の３つの再生素子（リーダー）Ｒ１、Ｒ２、Ｒ３を備えている。各再生素子Ｒ１、Ｒ２、Ｒ３は、例えば、トンネル接合（ＴＭＲ：Tunneling Magneto Resistive）素子を用いている。トンネル接合素子は、一般に、絶縁層を挟んで積層された磁化固着層（Ｐｉｎ層）（第１磁性体層）および磁化フリー層（Ｆｒｅｅ層）（第２磁性体層）を有している。なお、図中には記載されていないが、再生素子に通電するための電極あるいは電極膜が、再生素子の上下に設けられている。磁気コアの矩形状の先端面は、ＡＢＳ１３に露出し、ＡＢＳ１３とほぼ面一に配置されている。
【００１５】
ＡＢＳ１３において、第１ないし第３再生素子Ｒ１、Ｒ２、Ｒ３は、所定の間隔を置いて、記録ヘッド５８側からリーディング端側に向かって、Ｒ１、Ｒ２、Ｒ３の順でダウントラック方向ＤＴに並んで配置されている。各再生素子Ｒ１、Ｒ２、Ｒ３は、その長手方向が、クロストラック方向ＣＴと平行となる向きに、すなわち、ダウントラック方向ＤＴと直交する方向に延在する向きに配置されている。これにより、第１ないし第３再生素子Ｒ１、Ｒ２、Ｒ３は、互いに平行に並んで配置されている。
再生対象のデータトラックＴ２にオントラックする第２再生素子Ｒ２は、クロストラック方向ＣＴのコア幅ＲＷ２が広く、データトラックＴのトラック幅ＴＷの半分以上に形成されている。第２再生素子Ｒ２の両側（ダウントラック方向の両側）に位置する第１再生素子Ｒ１および第２再生素子Ｒ２は、第２再生素子Ｒ２が拾った隣接データトラックＴ１、Ｔ３の信号分を再生するようにコア幅および素子位置を最適化している。
【００１６】
詳細には、第１再生素子Ｒ１のコア幅ＲＷ１および第３再生素子Ｒ３のコア幅ＲＷ３は、それぞれ第２再生素子Ｒ２のコア幅ＲＷ２の３０〜７０％に形成され、より好ましくは、４０％〜６０％程度に形成されている。第１再生素子Ｒ１は、第２再生素子Ｒ２のコア幅方向の一端部と対向し、隣接データトラックＴ１の側縁部と重なる位置に配置されている。第３再生素子Ｒ３は、第２再生素子Ｒ２のコア幅方向の他端部と対向し、隣接データトラックＴ３の側縁部と重なる位置に配置されている。本実施形態では、第１再生素子Ｒ１および第３再生素子Ｒ３は、第２再生素子Ｒ２の中心に対して点対象に配置および形成されている
【００１７】
加えて、ダウントラック方向ＤＴに第１、第２、第３再生素子Ｒ１、Ｒ２、Ｒ３が順に配置された再生ヘッド５４により信号再生する際、第２再生素子Ｒ２を再生対象のデータトラックＴ２上に配置し、第１再生素子Ｒ１および第３再生素子Ｒ３が両隣接データトラックＴ１、Ｔ３に配置される場合、スキュー角の影響による隣接信号除去効果をクロストラック方向ＣＴに同程度とする、すなわち、第１再生素子Ｒ１および第３再生素子Ｒ３の効果を同程度とすることが望ましい。そのため、クロストラック方向ＣＴの間隔ＣＳ、ダウントラック方向ＤＴの間隔ＤＳは、第２再生素子Ｒ２を中心として、第１再生素子Ｒ１および第３再生素子Ｒ３で同程度の距離に設定している。
【００１８】
図３において、データトラックＴ１〜Ｔ３のクロストラック方向ＣＴのトラックピッチをＴＰ、再生素子ｘと再生素子ｙとのクロストラック方向ＣＴの中心間の間隔をＣＳｘｙ、再生素子ｘと再生素子ｙとのダウントラック方向ＤＴの中心間の間隔をＤＳｘｙとする。  
本実施形態における再生ヘッド５４では、各部の距離、寸法、配置は以下のように設定されている。  
ＴＰ×０．１＜（ＲＷ１およびＲＷ３）＜ＴＰ×０．４、  
ＴＰ×０．６＜ＲＷ２＜ＴＰ×１．２、  
ＴＰ×０．１＜ＣＳ１２＜ＴＰ×１．０、  
ＤＳ１２＞０、  
ＣＳ１２およびＣＳ２３は、第２再生素子Ｒ２に対して対称で、ほぼ同程度の距離である。  
ＤＳ１２およびＤＳ２３は、第２再生素子Ｒ２に対して対称で、ほぼ同程度の距離である。  
ＲＷ１およびＲＷ３は、それぞれＲＷ２のほぼ半分程度である。
【００１９】
図４は、第１ないし第３再生素子Ｒ１、Ｒ２、Ｒ３からの再生波形を２次元で処理する信号処理回路を示している。等化回路７０は、Ｒ／Ｗチャネル４２に設けられ、第１再生素子Ｒ１用の第１系統７０ａ、第２再生素子Ｒ２用の第２系統７０ｂ、および第３再生素子Ｒ３用の第３系統７０ｃの３系統を有している。各系統７０ａ、７０ｂ、７０ｃは、アナログフロントエンド（ＡＦＥ）およびＡＤコンバータ（ＡＤＣ）を有している。３系統のＡＤＣからの出力は合成され、有限インパルス応答回路（ＦＩＲ）、軟出力ビタビアルゴリズム（ＳＯＶＡ）を介して、低密度パリティ検査符号（ＬＤＰＣ ＣＯＤＥ）へ送られる。
第１ないし第３再生素子Ｒ１、Ｒ２、Ｒ３で再生された信号は、ＡＦＥを通り、ＡＤＣによりサンプリングされる。各々の信号がＦＩＲにて２次元等化処理がなされる。その後、ＳＯＶＡ、低密度パリティ検査符号（ＬＤＰＣ ＣＯＤＥ）を介し復号処理が行われた後、ＨＤＣ４４へ送られる。
【００２０】
上記のように構成された再生ヘッド５４を有する磁気ヘッド１６によれば、第２再生素子Ｒ２にて対象データトラックＴ２の信号を広く再生することでメディアジッターの平均化効果により再生信号のＳＮ比（ＳＮＲ）を改善させ、第２再生素子Ｒ２が拾った隣接データトラック信号分を再生するコア幅を持つ第１再生素子Ｒ１および第３再生素子Ｒ３により、ＴＤＭＲの再生信号処理にて効果的に隣接信号除去効果を得ることで、良好なビットエラーレート（ＢＥＲ）を達成することが可能となる。
図５は、本実施形態に係る再生ヘッド５４と比較例に係る再生ヘッドについて、トラックピッチ方向の各位置におけるビットエラーレートの程度を比較して示す図である。なお、比較例に係る再生ヘッドは、共通のコア幅を有する３つの再生素子をダウントラック方向に並べて配置した構成を有しているものとする。図５において、コア幅ＲＷｘおよびクロストラック方向ＣＴの間隔ＣＳｘｙをトラックピッチで規格化している。例えば、本実施形態に係る再生ヘッドでは、（ＲＷ１、ＲＷ２、ＲＷ３）＝（０．３５、０．７、０．３５）、（ＣＳ１２、ＣＳ２３）＝（−０．６、０．６）としている。比較例に係る再生ヘッドでは、（ＲＷ１、ＲＷ２、ＲＷ３）＝（０．５、０．５、０．５）、（ＣＳ１２、ＣＳ２３）＝（０、０）としている。
図５に示すように、本実施形態に係る再生ヘッド５４によれば、メディアジッターの平均化効果および隣接信号除去効果により、比較例に係る再生ヘッドに比較して、再生信号のビットエラーレートが大幅に改善していることが分かる。
【００２１】
図６は、ＲＷ１／ＲＷ３およびＣＳ１２／ＣＳ２３によるビットエラーレートへの影響量を示す図である。図では、ＲＷ２＝０．７５し、縦軸はリードオフトラックを振った最の最小ビットエラーレート（ＢＥＲ）を示している。ＲＷ１／ＲＷ３は０．４以下、ＣＳ１２／ＣＳ２３は０．４〜０．８に最適点が存在することが分かる。
【００２２】
図７および図８に示すように、磁気ディスク１２に対する磁気ヘッド１６の径方向位置に応じて、すなわち、データトラックＴに対する磁気ヘッド１６のスキュー角に応じて、再生素子の位置（オフセット量）が変動する。例えば、磁気ヘッド１６が磁気ディスク１２の径方向の内周側（ＩＮ）、中間部（Ｍ）、外周側（ＯＵＴ）に位置している場合、磁気ヘッド１６のスキュー角はそれぞれ大（＋）、ゼロ、大（−）となる。本実施形態の再生ヘッド５４によれば、第２再生素子Ｒ２を中心として、第１再生素子Ｒ１および第３再生素子Ｒ３はクロストラック方向ＣＴおよびダウントラック方向ＤＴにそれぞれ同程度の距離に配置されている。そのため、スキュー角が、大（＋）、ゼロ、大（−）のそれぞれで、第２再生素子Ｒ２は再生対象のデータトラックＴ上に重なり、第１再生素子Ｒ１および第３再生素子Ｒ３は隣接データトラック上にそれぞれ位置している。従って、磁気ヘッド１６にスキュー角が発生する状況でも、前述したようなメディアジッターの平均化効果により再生信号のＳＮ比（ＳＮＲ）を改善させ、ＴＤＭＲの再生信号処理にて効果的に隣接信号除去効果を得ることで、良好なビットエラーレート（ＢＥＲ）を達成することが可能となる。  
【００２３】
本実施形態では、第１および第３再生素子Ｒ１、Ｒ３のコア幅は第２再生素子Ｒ２のコア幅の半分程度に形成している。また、第１再生素子Ｒ１と第３再生素子Ｒ３とはダウントラック方向ＤＴに重ならない配置とし、第２再生素子Ｒ２はダウントラック方向ＤＴに第１再生素子Ｒ１と第３再生素子Ｒ３との間に配置する構成としている。これにより、再生ヘッドの製造が容易になるとともに、磁気ヘッドのいずれのスキュー角においても、メディアジッターの平均化効果および隣接信号除去効果を実現することが可能となる。  
以上のことから、本実施形態によれば、隣接トラック信号の影響を除去し、読み取り信号の品質向上を図ることが可能な磁気ヘッドおよびこれを備えるディスク装置が得られる。
【００２４】
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
【００２５】
例えば、再生ヘッドにおいて、第１再生素子Ｒ１および第３再生素子Ｒ３は、第２再生素子Ｒ２に対して対称に配置されていればよく、クロストラック方向の配設位置は、第１再生素子Ｒ１と第３再生素子Ｒ３とが左右逆に配置されてもよい。再生素子の数は、３つに限らず、必要に応じて４個以上としてもよい。  
本実施形態に係る磁気ヘッドは、瓦書き記録方式ＳＭＲ（Shingled Magnetic Recording）に適用してもよい。ＳＭＲにおいては、残存しているデータトラックと再生素子のコア幅との関係は前述した実施形態と同じになる。そのため、ＳＭＲでトラックピッチが１６％程度、狭まるとすると、一例では、ＳＭＲに対して以下のように再生ヘッド構成とすればよい。  
（ＲＷ１およびＲＷ３）＜ＴＰ×０．４６４、  ＲＷ２＞ＴＰ×０．６９６、  
ＣＳ１２＞ＴＰ×０．１１６  
その他、ディスク装置を構成する要素の材料、形状、大きさ等は、上述した実施形態に限定されることなく、必要に応じて種々変更可能である。
【符号の説明】
【００２６】
１０…磁気ディスク装置、１１…筐体、１２…磁気ディスク、１３…ＡＢＳ、  
１４…スピンドルモータ、１５…スライダ、１６…磁気ヘッド、１７…ヘッド部、  
１８…ヘッドアクチュエータ、３０…ヘッドアンプＩＣ、４０…メインコントローラ、
５４…再生ヘッド、Ｒ１…第１再生素子、Ｒ２…第２再生素子、Ｒ３…第３再生素子、
５８…記録ヘッド
【図１】
2020038745.tif 000003
【図２】
2020038745.tif 000004
【図３】
2020038745.tif 000005
【図４】
2020038745.tif 000006
【図５】
2020038745.tif 000007
【図６】
2020038745.tif 000008
【図７】
2020038745.tif 000009
【図８】
2020038745.tif 000010
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
第１再生素子Ｒ１、第２再生素子Ｒ２、および第３再生素子Ｒ３を有する再生ヘッドと、
記録媒体の表面に対向する空気支持面であって、前記第１再生素子、第２再生素子、第３再生素子のそれぞれの先端面が露出した空気支持面と、を備え、
前記記録媒体に形成されるデータトラックの長手方向をダウントラック方向、前記データトラックの幅方向をクロストラック方向とすると、
前記空気支持面において、前記第１再生素子、第２再生素子、第３再生素子は、第１再生素子、第２再生素子、第３再生素子の順で互いに間隔を置いて前記ダウントラック方向に並んで配置され、
前記第２再生素子のクロストラック方向のコア幅ＲＷ２は、前記データトラックの幅の半分以上の幅を有し、
前記第１再生素子のクロストラック方向のコア幅ＲＷ１および第３再生素子のクロストラック方向のコア幅ＲＷ３は、前記第２再生素子のコア幅ＲＷ２よりも小さく形成され、
前記第１再生素子は、前記第２再生素子のクロストラック方向の一端部に対向して、かつ、隣接データトラックの一部と重なる位置に配置され、
前記第３再生素子は、前記第２再生素子のクロストラック方向の他端部に対向して、かつ、隣接データトラックの一部と重なる位置に配置されている、
磁気ヘッド。
【請求項２】
前記第１再生素子Ｒ１のコア幅ＲＷ１および前記第３再生素子Ｒ３のコア幅ＲＷ３は、前記第２再生素子Ｒ２のコア幅ＲＷ２の３０〜７０％に形成されている請求項１に記載の磁気ヘッド。
【請求項３】
前記第１再生素子Ｒ１および第３再生素子Ｒ３は、前記第２再生素子Ｒ２のクロストラック方向の中心に対して、点対称に配置されている請求項１又は２に記載の磁気ヘッド。
【請求項４】
前記データトラックの幅方向のトラックピッチをＴＰ、クロストラック方向の再生素子の中心間の間隔をＣＳｘｙ、ダウントラック方向の再生素子の中心軸線間の間隔をＤＳｘｙとすると、前記第１再生素子Ｒ１、第２再生素子Ｒ２、第３再生素子Ｒ３は、以下の関係を満たすように形成および配置されている  
ＴＰ×０．１＜（ＲＷ１およびＲＷ３）＜ＴＰ×０．４、  
ＴＰ×０．６＜ＲＷ２＜ＴＰ×１．２、  
ＴＰ×０．１＜ＣＳ１２＜ＴＰ×１．０、  
ＤＳ１２＞０、  
ＣＳ２３＝ＣＳ１２、  
ＤＳ２３＝ＤＳ１２、  
請求項１から３のいずれか１項に記載の磁気ヘッド。
【請求項５】
磁気記録層を有する回転自在なディスク状の記録媒体と、
前記磁気記録層に対し情報を処理する請求項１から４のいずれか１項に記載の磁気ヘッドと、
を備えるディスク装置。
【手続補正２】
【補正対象書類名】明細書
【補正対象項目名】０００５
【補正方法】変更
【補正の内容】
【０００５】
実施形態によれば、磁気ヘッドは、第１再生素子Ｒ１、第２再生素子Ｒ２、および第３再生素子Ｒ３を有する再生ヘッドと、記録媒体の表面に対向する空気支持面であって、前記第１再生素子、第２再生素子、第３再生素子のそれぞれの先端面が露出した空気支持面と、を備えている。前記記録媒体に形成されるデータトラックの長手方向をダウントラック方向、前記データトラックの幅方向をクロストラック方向とすると、前記空気支持面において、前記第１再生素子、第２再生素子、第３再生素子は、第１再生素子、第２再生素子、第３再生素子の順で互いに間隔を置いて前記ダウントラック方向に並んで配置されている。前記第２再生素子のクロストラック方向のコア幅ＲＷ２は、前記データトラックの幅の半分以上の幅を有し、前記第１再生素子のクロストラック方向のコア幅ＲＷ１および第３再生素子のクロストラック方向のコア幅ＲＷ３は、前記第２再生素子のコア幅ＲＷ２よりも小さく形成されている。前記第１再生素子は、前記第２再生素子のクロストラック方向の一端部に対向して、かつ、隣接データトラックの一部と重なる位置に配置され、前記第３再生素子は、前記第２再生素子のクロストラック方向の他端部に対向して、かつ、隣接データトラックの一部と重なる位置に配置されている。